(57)【要約】【課題】デザイン性や商品への訴求効果に優れ、かつ、組立・解体が容易な、ボード上の最適な位置に商品を陳列できる商品陳列装置を提供すること。【解決手段】ベース板１の両側部５１の耳部７を本体４の裏面１０側に折り曲げ、中空の枠部２９を形成する。次に、ベース孔３ａにフック孔１３が重なるように、ベース板１の表面６にカバー１１を被せる。その後、カバー１１の外周部の挿入部１７ａ、挿入部１７ｂをそれぞれ、ベース板１の挿入口５、ベース板１の枠部２９の最上段の抜き起こし孔３１ａに挿入して、ベース板１とカバー１１とを固定する。その後、カバー１１の側から、フック２１の取付部２５をフック穴１３およびベース穴３ａに挿入して貫通させる。【選択図】図３
2012024428.tif 000002
【特許請求の範囲】
【請求項１】
複数のベース孔が設けられたベース板と、
フック孔を有するカバーと、
を具備し、
前記カバーが、前記フック孔が前記ベース孔に重なるように、前記ベース板に取り外し可能に固定されることを特徴とする商品陳列装置。
【請求項２】
前記ベース板は、挿入口または挿入部を有し、
前記カバーは、外周部に挿入部または挿入口を有し、
前記カバーは、前記挿入部を前記ベース板の前記挿入口に挿入することにより、または前記挿入口を前記ベース板の前記挿入部に嵌め込むことにより、前記ベース板に固定されることを特徴とする請求項１記載の商品陳列装置。
【請求項３】
前記ベース板は、両側部を前記ベース板の裏面側に折り曲げることにより、枠部が形成されることを特徴とする請求項１または請求項２のいずれかに記載の商品陳列装置。
【請求項４】
前記枠部は中空に形成され、
挿入口が中空の前記枠部に形成されることを特徴とする請求項３記載の商品陳列装置。
【請求項５】
前記カバーは筒状であり、前記カバーの内部に前記ベース板が配置されることを特徴とする請求項１記載の商品陳列装置。
【請求項６】
前記カバーは、重ね合わせた前記ベース孔および前記フック孔に前記カバー側からフックを挿入して貫通させることにより、前記ベース板に固定されることを特徴とする請求項１から請求項５のいずれかに記載の商品陳列装置。
【発明の詳細な説明】
【技術分野】
【０００１】
本発明は、商品陳列装置に関するものである。
【背景技術】
【０００２】
従来、店頭にて商品を陳列するために、ボード状の陳列装置が用いられる場合がある。陳列装置に取り付けた吊り部材で商品を吊り、配置することで、スペースの有効活用が可能である。このような陳列装置の例として、複数の取付孔を有するボードの任意の取付孔に、吊り部材を取り付けるものが特許文献１に記載されており、様々な商品の配置を可能としている。
【先行技術文献】
【特許文献】
【０００３】
【特許文献１】特開２００２−８５２１１号公報
【発明の概要】
【発明が解決しようとする課題】
【０００４】
現在、このような商品陳列装置について、より商品への訴求効果を高めることが望まれている。例えば、このような商品陳列装置において取付孔が露出することは、見栄えが悪くなるので、デザイン性や商品への訴求効果をより高めることを考えると好ましくない。
【０００５】
本発明は、前述した問題点に鑑みてなされたもので、その目的は、デザイン性や商品への訴求効果に優れ、かつ、組立・解体が容易な、ボード上の最適な位置に商品を陳列できる商品陳列装置を提供することである。
【課題を解決するための手段】
【０００６】
前述した目的を達成するための本発明は、複数のベース孔が設けられたベース板と、フック孔を有するカバーと、を具備し、前記カバーが、前記フック孔が前記ベース孔に重なるように、前記ベース板に取り外し可能に固定されることを特徴とする商品陳列装置である。
【０００７】
例えば、前記ベース板は、挿入口または挿入部を有し、前記カバーは、外周部に挿入部または挿入口を有し、前記カバーは、前記挿入部を前記ベース板の前記挿入口に挿入することにより、または前記挿入口を前記ベース板の前記挿入部に嵌め込むことにより、前記ベース板に固定される。
【０００８】
ベース板は、必要に応じて、両側部を前記ベース板の裏面側に折り曲げることにより、枠部が形成される。枠部を中空に形成し、挿入口を中空の枠部に形成してもよい。
【０００９】
前記カバーは、重ね合わせた前記ベース孔および前記フック孔に前記カバー側からフックを挿入して貫通させることにより、前記ベース板に固定されてもよい。
【００１０】
本発明では、フック孔を設けたカバーを、そのフック孔の位置がベース板に複数設けたベース孔のうちの任意のベース孔と重なるように、ベース板に取り外し可能に固定するので、商品に応じてフック孔の位置が異なるカバーをベース板に取り付けることにより、商品に応じて最適な位置に商品を陳列することができ、カバーの柄等も商品に応じたものを用意できる。カバーは、フックの取り付け位置のみにフック孔を設けることができるため、余分なフック孔やベース孔が露出せず、デザイン性や商品への訴求効果の観点からも優れている。さらに、ベース板とカバーは、ベース板に設けられた挿入口等およびカバーに設けられた挿入部等、あるいはフック等を用いて固定するものとすることにより、商品陳列装置の組立や解体を容易に行うことができる。また、ベース板に枠部を設けることにより、ベース板の反りが防止でき、枠部を中空にすることで、枠部を挿入口として活用できる。ベース板は交換する必要がないので、環境保護の面からも好ましい。
【発明の効果】
【００１１】
本発明によれば、デザイン性や商品への訴求効果に優れ、かつ、組立・解体が容易な、ボード上の最適な位置に商品を陳列できる商品陳列装置を提供できる。
【図面の簡単な説明】
【００１２】
【図１】第１の実施の形態のハンガーボードの構成部材を示す図
【図２】枠部２９が形成されたベース板１を示す図
【図３】第１の実施の形態のハンガーボード５３を示す図
【図４】ハンガーボード５３の別の例であるハンガーボード５３ａを示す図
【図５】第２の実施の形態のハンガーボードの構成部材を示す図
【図６】第２の実施の形態のハンガーボード５３ｂの組立工程を示す図
【図７】第３の実施の形態のハンガーボード５５の組立工程を示す図
【発明を実施するための形態】
【００１３】
以下、図面に基づいて、本発明の第１の実施の形態について詳細に説明する。図１は、第１の実施の形態の商品陳列装置であるハンガーボードの構成部材を示す図である。図１の（ａ）図は、ベース板１を表面６側から見た図を示す。ここで、表面とは、ハンガーボードの組み立て時にフックが取り付けられる一面を指すものとする。
【００１４】
図１の（ａ）図に示すように、ベース板１は、長方形状の部材である。ベース板１の材質は、例えば、チップボールやコートボール等の合紙など、所定の強度を有する板紙とする。ベース板１の本体４は、上部および下部に、挿入口５が設けられる。挿入口５は、水平方向のスリットである。本体４は、長辺方向および短辺方向に所定の間隔をおいて複数のベース孔３が設けられる。なお、図中のベース孔３ａは、ハンガーボードの組立時にフック２１が取り付けられる予定のベース孔である。また、ベース孔３の位置は上記したものに限らず、様々に配置することができる。ベース板１の形状も上記したものに限ることはなく、様々に定めることができる。例えば、図１（ｄ）に示すように、フック２１に対応した２つのベース孔３をセットとしてこれらを所定の間隔で本体４の短辺方向に並べ、このベース孔３の配置を短辺方向にずらしつつ本体４の長辺方向に所定の間隔で配置するような場合も考えられる。
【００１５】
ベース板１は、長辺方向の両側部５１に耳部７が設けられる。耳部７は、本体４の長辺方向に２本の折り曲げ線９が設けられる。また、本体４と耳部７との境界部にも折り曲げ線９が設けられる。折り曲げ線９は、例えば、ベース板１の表面６側をハーフカットして形成される。耳部７の最も外側、即ち側部５１から最も遠い位置にある折り曲げ線９ａは、所定の位置に抜き起こし部８が設けられる。抜き起こし部８は、ベース板１を厚み方向に打ち抜いて形成される。
【００１６】
図１の（ｂ）図は、カバー１１を表面側から見た図を示す。図１の（ｂ）図に示すように、カバー１１の本体１２は、長方形の形状を有する。カバー１１の材質は、例えばボール紙の単紙などである。カバー１１の本体１２は、ベース板１のベース孔３ａの少なくともいずれかに対応する位置にフック孔１３が設けられる。フック孔１３の位置は、カバー１１とベース板１の位置をあわせたときに、ベース孔３とフック孔１３の位置が重なるように適宜定めることができる。また、カバー１１の形状もこれに限ることは無く、ベース板１の形状に合わせて適宜定めることができる。
【００１７】
カバー１１の外周部では、本体１２の外周５３に折り曲げ部１５ａ、折り曲げ部１５ｂが設けられる。折り曲げ部１５ａは、本体１２の上端部および下端部に設けられる。折り曲げ部１５ａと本体１２との境界部には、折り曲げ線１９ａが設けられる。折り曲げ部１５ａは、所定の位置に挿入部１７ａが設けられる。挿入部１７ａは、カバー１１を厚み方向に打ち抜いて形成される。
【００１８】
折り曲げ部１５ｂは、本体１２の両側部に設けられる。折り曲げ部１５ｂには、カバー１１の長辺方向に１本の折り曲げ線１９ｂが設けられる。また、折り曲げ部１５ｂと本体１２との境界部にも、折り曲げ線１９ｂが設けられる。折り曲げ部１５ｂは、所定の位置に挿入部１７ｂが設けられる。挿入部１７ｂは、カバー１１を厚み方向に打ち抜いて形成される。
なお、折り曲げ部１５ａ、折り曲げ部１５ｂの配置はこれに限らず、折り曲げ部１５ａは本体１２の上端部か下端部のいずれか一方に設けてもよいし、折り曲げ部１５ｂは、本体１２の左右の側部のいずれか一方に設けてもよい。あるいは折り曲げ部１５ａまたは折り曲げ部１５ｂのいずれか一方を省略してもよい。これらは、折り曲げ部に設けた挿入部を用いてカバー１１とベース板１とが確実に固定されるよう定められればよい。
【００１９】
図１の（ｃ）図は、フック２１の斜視図を示す。図１の（ｃ）図に示すように、フック２１は、板材２７の一方の面に、Ｌ字形等の吊り部２３が固定される。また、板材２７の他方の面に、Ｌ字形等の取付部２５が固定される。なお、フックの形状はこれに限ることは無く、その目的に応じて様々な形状のものを用いることができる。
【００２０】
図２は、枠部２９が形成されたベース板１を示す図である。図２の（ａ）図は、枠部２９が形成されたベース板１を裏面１０側から見た図を示す。図２の（ｂ）図は、枠部２９が形成されたベース板１の図２の（ａ）図に示す矢印Ａ−Ａによる断面図を示す。
【００２１】
図２に示すように、ベース板１は、折り曲げ線９（図１の（ａ）図参照）で耳部７を本体４の裏面１０側に折り曲げることにより、両側部５１に水平方向断面が三角形状の中空の枠部２９が形成される。枠部２９を設けることにより、ベース板１の長辺方向の反りが防止される。この際、折り曲げ線９ａ（図１の（ａ）図参照）に設けられた抜き起こし部８は耳部７から抜き起こされ、抜き起こし孔３１が中空の枠部２９に形成される。抜き起こし孔３１は、ハンガーボードの組み立て時に挿入部１７ｂが挿入される挿入口である。カバー１１の挿入部１７ｂは、抜き起こし孔３１の少なくともいずれかに対応する位置に設けておく。
なお、枠部２９は、中空に形成するものに限らず、両側部５１の耳部７を本体４の裏面１０側に折り曲げるとともに、折り曲げ線９で折る方向を交互にかえつつ、Ｚ形状に耳部７を折り畳むなどして形成することもできる。
【００２２】
図３は、第１の実施の形態のハンガーボード５３を示す図である。図３の（ａ）図は、ハンガーボード５３を裏面側から見た図を示す。図３の（ｂ）図は、ハンガーボード５３を表面側から見た図を示す。図３の（ｃ）図は、図３の（ｂ）図に示す矢印Ｂ−Ｂによる断面図を示す。
【００２３】
ハンガーボード５３を組み立てるには、まず、図２に示すように、ベース板１の折り曲げ線９（図１の（ａ）図参照）で耳部７を本体４の裏面１０側に折り曲げ、ベース板１の両側部５１に三角形状の中空の枠部２９を形成する。次に、図３の（ｂ）、（ｃ）図に示すように、ベース板１のベース孔３ａにカバー１１のフック孔１３が重なるように、ベース板１の表面６にカバー１１を被せる。
【００２４】
ベース板１の表面６にカバー１１を被せた後、図３の（ａ）図および図３の（ｃ）図に示すように、カバー１１の本体１２の上端部および下端部の折り曲げ部１５ａを、折り曲げ線１９ａ（図１の（ｂ）図参照）でベース板１の本体４の裏面１０側に折り曲げ、カバー１１の挿入部１７ａをベース板１の挿入口５に挿入する。
【００２５】
また、図３の（ａ）図に示すように、カバー１１の本体１２の両側部の折り曲げ部１５ｂを、折り曲げ線１９ｂ（図１の（ｂ）図参照）でベース板１の本体４の裏面１０側に、枠部２９に沿って折り曲げ、挿入部１７ｂをベース板１の枠部２９の最上段の抜き起こし孔３１ａ（図２の（ａ）図参照）に挿入する。
これにより、ベース板１とカバー１１とを固定する。カバー１１の挿入部１７ａ、１７ｂおよびベース板１の挿入口５、抜き起こし孔３１ａは、カバー１１とベース板１との固定手段として機能している。
【００２６】
ベース板１とカバー１１とを固定した後、図３に示すように、カバー１１の側から、フック２１の取付部２５をフック穴１３およびベース穴３ａに挿入して貫通させ、ハンガーボード５３の組立を完了する。
【００２７】
このように、第１の実施の形態では、カバー１１の本体１２に、ベース板１のベース孔３ａに対応する位置にフック孔１３を設ける。また、カバー１１は、ベース板１に取り外し可能に固定される。従って、ベース孔３に対応するように様々な位置にフック孔を設けたカバー１１を、商品に応じて交換してベース板１に取り付けることにより、ハンガーボード５３の最適な位置に商品を陳列することができる。また、カバー１１は、フック２１の取り付け位置のみにフック孔１３を設けるため、ハンガーボード５３の組立後は、表面に余分なフック孔やベース孔が露出せず、デザイン性や商品への訴求効果の観点からも優れている。また、ベース板１に中空の枠部２９を設けることにより、ベース板１の反りが防止でき、枠部２９を挿入口として活用できる。
【００２８】
第１の実施の形態のハンガーボード５３では、陳列する商品を変更する際に、カバー１１をベース板１から取り外し、新たに陳列する商品に応じた位置にフック孔１３を設けた別のカバー１１を取り付ければよい。これにより、ベース板１の再利用が可能であり、環境保護の面からも好ましい。また、カバーに広告を表示することにより、商品毎に容易に広告の交換ができる。
【００２９】
ハンガーボード５３では、挿入部１７ａと挿入口５、挿入部１７ｂと抜き起こし孔３１ａをベース板１とカバー１１との固定手段として用いる。これにより、ベース板１とカバー１１とを確実に固定することができるとともに、固定具等が不要で、ハンガーボード５３の組立や解体を容易に行うことができる。
【００３０】
なお、第１の実施の形態では、ハンガーボード５３の上下左右でカバー１１とベース板１とを固定したが、固定する箇所の数や位置はこれに限らない。これらは、カバー１１とベース板１とが確実に固定されるよう決定される。この目的に応じて、挿入部１７ａ、１７ｂ（折り曲げ部１５ａ、１５ｂ）、およびこれに対応する抜き起こし孔３１や挿入口５等を省略、追加可能である。
【００３１】
また、本実施形態では、挿入口をベース板１に設け、これに対応する挿入部をカバー１１に設けたが、これらは逆であってもよい。その例が図４に示されており、ベース板１の挿入口５にかえて挿入部６０を設けたベース板１ａ、カバー１１の挿入部１７ａにかえて挿入口６１を設けたカバー１１ａ、およびベース板１ａとカバー１１ａとを用いてハンガーボード５３と同様にして組み立てられるハンガーボード５３ａを示す。
【００３２】
図４の（ａ）図はベース板１ａを表面６側から見た図を示す。図４の（ｂ）図はカバー１１ａを表面側から見た図を示す。図４の（ｃ）図はハンガーボード５３ａを裏面側から見た図を示す。図４の（ｄ）図は、図４の（ｃ）図に示す矢印Ｃ−Ｃによる断面図を示す。図４の（ｅ）図は、図４の（ｄ）図と同じ断面において、挿入部６０の別の例である挿入部６０ａについて示す挿入部６０ａ付近の拡大図である。なお、ベース板１ａ、カバー１１ａ、およびハンガーボード５３ａにおいて、上記の挿入部６０、挿入口６１以外の構成は図１等で説明したベース板１、カバー１１、およびハンガーボード５３とそれぞれ同様であるので、図には同じ番号を付し、説明を省略する。
【００３３】
図４の（ａ）〜（ｄ）図に示すように、ハンバーボード５３ａでは、カバー１１ａをベース板１ａに被せ、ハンガーボード５３と同様にカバー１１ａの挿入部１７ｂをベース板１ａの枠部２９の抜き起こし孔に挿入するとともに、カバー１１ａの挿入口６１を、ベース板１ａの挿入部６０に嵌め込むことによりカバー１１ａがベース板１ａに対して固定される。このようにして、ハンガーボード５３ａが組み立てられる。その後は、ハンガーボード５３と同様にしてフック２１を取り付けることができる。ハンガーボード５３ａでは、挿入部６０と挿入口６１、挿入部１７ｂと抜き起こし孔をベース板１ａとカバー１１ａとの固定手段として用いることにより、ベース板１ａとカバー１１ａとを確実に固定することができるとともに、固定具等が不要で、ハンガーボード５３ａの組立や解体を容易に行うことができる。その他、上記したハンガーボード５３と同様の効果を奏する。
【００３４】
なお、挿入部６０は図４の（ｄ）図に示すようにベース板１ａの裏面方向に突出する凸形状のものであってもよいが、図４の（ｅ）図に示すように、ベース板１ａの裏面方向に突出するかぎ状の挿入部６０ａを用いてもよい。この場合は、挿入部６０ａのかぎ部分に挿入口６１を通してこれを引掛けるようにして挿入口６１を挿入部６０ａに嵌め込むことにより、より確実に位置を固定することが可能である。
【００３５】
次に、第２の実施の形態について説明する。図５は、第２の実施の形態の商品陳列装置であるハンガーボードの構成部材を示す図である。但し、フック２１は、第１の実施の形態と同様のものを用いるため、図示していない。
【００３６】
図５の（ａ）図は、ベース板１ｂを表面６側から見た図を示す。ベース板１ｂの材質は、例えば、コートボールやチップボール等の合紙など、所定の強度を有する板紙とする。図５の（ａ）図に示すように、ベース板１ｂは、第１の実施の形態のベース板１と略同様の構成であるが、本体４に挿入口５が設けられない。なお、図中のベース孔３ａは、ハンガーボードの組立時にフック２１が取り付けられる予定のベース孔である。
【００３７】
図５の（ｂ）図は、カバー１１ｂを表面側から見た図を示す。図５の（ｂ）図に示すように、カバー１１ｂの本体１２ａは、長方形状の部材である。カバー１１ｂの材質は、例えば、ボール紙の単紙などとする。カバー１１ｂの本体１２ａは、ベース板１ｂのベース孔３ａに対応する位置にフック孔１３ａが設けられる。フック孔１３ａの位置は、カバー１１ｂとベース板１ｂの位置をあわせたときに、ベース孔３とフック孔１３ａの位置が重なるように適宜定めることができる。
【００３８】
カバー１１ｂの外周部では、本体１２ａの上端部、下端部に折り曲げ部３３が設けられる。折り曲げ部３３と本体１２ａとの境界部には、折り曲げ線３５が設けられる。折り曲げ部３３は、所定の位置にフック孔３７が設けられる。フック孔３７の位置は、折り曲げ線３５で折り曲げ部３３を折り曲げた時に、フック孔１３ａに重なるように決定される。
【００３９】
図６は、第２の実施の形態のハンガーボード５３ｂの組立工程を示す図である。図６の（ａ）図は、枠部２９が形成されたベース板１ｂを裏面１０側から見た図を示す。図６の（ａ）図に示すように、ベース板１ｂは、第１の実施形態と同様、折り曲げ線９（図５の（ａ）図参照）で耳部７を本体４の裏面１０側に折り曲げることにより、両側部５１に三角形状の中空の枠部２９が形成される。
【００４０】
図６の（ｂ）図は、ハンガーボード５３ｂを裏面側から見た図を示す。図６の（ｃ）図は、図６の（ｂ）図に示す矢印Ｄ−Ｄによる断面図を示す。
【００４１】
ハンガーボード５３ｂを組み立てるには、まず、図６の（ａ）図に示すように、ベース板１ｂの折り曲げ線９（図５の（ａ）図参照）で耳部７を本体４の裏面１０側に折り曲げ、ベース板１ｂの両側部５１に三角形状の枠部２９を形成する。
【００４２】
次に、図６の（ｂ）、（ｃ）図に示すように、ベース板１ｂのベース孔３ａにカバー１１ｂのフック孔１３ａが重なるように、ベース板１ｂの表面６にカバー１１ｂを被せ、カバー１１ｂの本体１２ａの上端部および下端部の折り曲げ部３３を、折り曲げ線３５（図５の（ｂ）図参照）でベース板１ｂの本体４の裏面１０側に折り曲げる。
【００４３】
そして、カバー１１ｂの表面側から、フック２１の取付部２５をフック穴１３ａ、ベース穴３ａ、フック穴３７に挿入して貫通させることにより、ベース板１ｂとカバー１１ｂとを固定し、ハンガーボード５３ｂの組立を完了する。フック穴１３ａ、ベース穴３ａ、フック穴３７およびこれらを貫通したフック２１は、カバー１１ｂとベース板１ｂとの固定手段として機能している。フック２１を外せば、カバー１１ｂをベース板１ｂより取り外すことができる。
【００４４】
このように、第２の実施の形態では、第１の実施の形態と同様に、カバー１１ｂの本体１２ａに、ベース板１ｂのベース孔３ａに対応する位置にフック孔１３ａを設ける。また、カバー１１ｂは、ベース板１ｂに取り外し可能に固定される。従って、ベース孔３に対応するように様々な位置にフック孔を設けたカバー１１ｂを、商品に応じて交換してベース板１ｂに取り付けることにより、ハンガーボード５３ｂの最適な位置に商品を陳列することができる。また、カバー１１ｂは、フック２１の取り付け位置のみにフック孔１３ａを設けるため、ハンガーボード５３ｂの組立後は、表面に余分なフック孔やベース孔が露出せず、デザイン性や商品への訴求効果の観点からも優れている。また、ベース板１ｂに中空の枠部２９を設けることにより、ベース板１ｂの反りが防止できる。
【００４５】
第２の実施の形態のハンガーボード５３ｂでも、陳列する商品を変更する際には、カバー１１ｂをベース板１ｂから取り外し、新たに陳列する商品に応じた位置にフック孔１３ａを設けた別のカバー１１ｂを取り付ければよい。これにより、ベース板１ｂの再利用が可能である。また、カバーに広告を表示することにより、商品毎に容易に広告の交換ができる。
【００４６】
ハンガーボード５３ｂでは、フック孔１３ａ、３７、ベース孔３ａ、およびこれらを貫通するフック２１をベース板１ｂとカバー１１ｂとの固定手段として用いる。これにより、ベース板１ｂとカバー１１ｂとを確実に固定することができるともに、固定具等が不要で、ハンガーボード５３ｂの組立や解体を容易に行うことができる。
【００４７】
次に、第３の実施の形態について説明する。図７は、第３の実施の形態のハンガーボード５５の組立工程を示す図である。図７の（ａ）図は、カバー３９の斜視図を示す。第３の実施の形態では、図７の（ａ）図に示すカバー３９と、第２の実施の形態で用いたのと同様のベース板１ｂ（図５の（ａ）図参照）と、第１、第２の実施の形態で用いたのと同様のフック２１（図１の（ｃ）図参照）とを用いてハンガーボード５５を組み立てる。
【００４８】
図７の（ａ）図に示すように、カバー３９は、水平方向断面が矩形の筒状の部材である。カバー３９の材質は、例えばボール紙の単紙などである。カバー３９の表面には、ベース板１ｂのベース孔３ａ（図５の（ａ）図参照）に対応する位置にフック孔４５が設けられる。フック孔４５の位置は、カバー３９とベース板１ｂの位置をあわせたときに、ベース孔３とフック孔４５の位置が重なるように適宜定めることができる。
【００４９】
図７の（ｂ）図は、ハンガーボード５５の斜視図を示す。図７の（ｃ）図は、図７の（ｂ）図に示す矢印Ｅ−Ｅによる断面図を示す。ハンガーボード５５を組み立てるには、まず、第１、２の実施の形態と同様にして、ベース板１ｂの両側部５１に三角形状の中空の枠部２９を形成する（図６の（ａ）図参照）。次に、図７の（ｂ）図および図７の（ｃ）図に示すように、カバー３９の内部４７にベース板１ｂを挿入して配置する。この時、ベース板１ｂのベース孔３ａにカバー３９のフック孔４５が重なるように、ベース板１ｂの表面６にカバー３９を被せる。
【００５０】
ベース板１ｂの表面６にカバー３９を被せると同時に、カバー３９の内側面４９とベース板１ｂの枠部２９等を、接着剤等を用いて接着して固定してもよい。この場合は、取り外し容易なように、擬似接着等としておくことが望ましい。
【００５１】
そして、カバー３９の表面の側から、フック２１の取付部２５をフック孔４５、ベース孔３ａに挿入して貫通させることにより、ベース板１ｂとカバー３９とを固定し、ハンガーボード５５の組立を完了する。フック孔４５、ベース孔３ａおよびこれらを貫通したフック２１は、カバー３９とベース板１ｂとの固定手段として機能している。フック２１を外せば、カバー３９をベース板１ｂより取り外すことができる。
【００５２】
このように、第３の実施の形態では、第１、第２の実施の形態と同様に、カバー３９の表面の、ベース板１ｂのベース孔３ａに対応する位置にフック孔４５を設ける。また、カバー３９は、ベース板１ｂに取り外し可能に固定される。従って、ベース孔３に対応するように様々な位置にフック孔を設けたカバー３９を、商品に応じて交換してベース板１ｂに取り付けることにより、ハンガーボード５５の最適な位置に商品を陳列することができる。また、カバー３９は、フック２１の取り付け位置のみにフック孔４５を設けるため、ハンガーボード５５の組立後は、表面に余分なフック孔やベース孔が露出せず、デザイン性や商品への訴求効果の観点からも優れている。また、ベース板１ｂに中空の枠部２９を設けることにより、ベース板１ｂの反りが防止できる。
【００５３】
第３の実施の形態のハンガーボード５５でも、陳列する商品を変更する際に、カバー３９をベース板１ｂから取り外し、新たに陳列する商品に応じた位置にフック孔４５を設けた別のカバー３９を取り付ければよい。これにより、ベース板１ｂの再利用が可能である。また、カバー３９に広告を表示することにより、商品毎に容易に広告の交換ができる。
ハンガーボード５５では、フック孔４５、ベース孔３ａ、およびこれらを貫通するフック２１をベース板１ｂとカバー３９との固定手段として用いる。これにより、ベース板１ｂとカバー３９とを確実に固定することができるともに、固定具等が不要で、ハンガーボード５５の組立や解体を容易に行うことができる。
【００５４】
なお、第１から第３の実施の形態で用いたベース板やカバーは、一体として形成されなくともよく、複数の部材を接着して作成してもよい。また、ベース板やカバーの材質は板紙やボール紙等に限らず、例えばベース板の材質を鉄等としてもよい。さらに、フックの形状も、前述したものに限らず、陳列する商品等に応じて決定すればよい。
【００５５】
第１から第３の実施の形態では、ベース板の耳部に吊り孔を設け、吊り孔に吊り紐を取り付けることにより、ハンガーボードを吊るして展示することができる。また、例えば底板をベース板に接続し、ベース板が立った状態で配置できるようにしてもよい。
【００５６】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００５７】
１、１ａ、１ｂ………ベース板
３、３ａ………ベース孔
４、１２、１２ａ………本体
５、６１………挿入口
６………表面
７………耳部
９、９ａ、１９ａ、１９ｂ、３５………折り曲げ線
１０………裏面
１１、１１ａ、１１ｂ、３９………カバー
１３、１３ａ、３７、４５………フック孔
１５ａ、１５ｂ、３３………折り曲げ部
１７ａ、１７ｂ、６０、６０ａ………挿入部
２１………フック
２３………吊り部
２５………取付部
２７………板材
２９………枠部
５３、５３ａ、５３ｂ、５５………ハンガーボード
【図１】
2012024428.tif 000003
【図２】
2012024428.tif 000004
【図３】
2012024428.tif 000005
【図４】
2012024428.tif 000006
【図５】
2012024428.tif 000007
【図６】
2012024428.tif 000008
【図７】
2012024428.tif 000009